(57)【要約】【課題】  故障電流が小さくても、大きな表示板で遠方からでも確認し易い故障表示をすることができる故障表示装置を提供する。【解決手段】  故障表示装置には接地線１を流れる電流を検知するコイル１１と、コイル１１の誘導電流を整流して二次電流を出力する電気回路２が設けられている。電気回路２の二次電流はソレノイド３に出力される。ソレノイド３の磁気反応部２１が可動部材４の一端２６に固定されており、他端２７に故障表示部材５が係合されている。故障電流に基づいて発生した誘導電流は二次電流に変換された後、ソレノイド３の駆動コイル２２に出力される。二次電流によってソレノイド３の磁石２３による磁気反応部２１を引き付ける力が小さくなり、可動部材４の他端２７と故障表示部材５との係合状態が解除され、故障表示部材５が故障表示状態となる。【選択図】図１
2006211756.tif 000002
【特許請求の範囲】
【請求項１】
電力系統に付設された接地線に流れる電流を検知する検知コイルと、このコイルの誘導電流を整流して二次電流を発生する電気回路と、一端に磁気反応部が設けられ他端に係合部が設けられた可動部材と、常時は前記磁気反応部が第１の位置になるように前記磁気反応部に磁力を及ぼす磁石と、前記二次電流により前記磁気反応部が第２の位置に移動するように前記磁気反応部に磁力を及ぼす駆動コイルと、前記磁気反応部が前記第１の位置にあるときに前記係合部に係合し前記磁気反応部が前記第２の位置に移動したときに前記係合部から外れて第３の位置に移動する係合部材と、前記係合部材に取り付けられた故障表示部材とを有することを特徴とする電力系統の故障表示装置。
【請求項２】
前記可動部材は、回動軸を中心にして回動する回動部と、この回動部を前記磁気反応部が前記第２の位置側に向けて付勢するバネとを有することを特徴とする請求項１に記載の電力系統の故障表示装置。
【請求項３】
前記電気回路は、前記コイルの誘導電流を整流する整流回路と、この整流回路からの出力電圧が整定値以上になった場合に二次電流を発生する整定回路とを有することを特徴とする請求項１又は２に記載の電力系統の故障表示装置。
【請求項４】
前記故障表示部材は、常時は表示窓を有する筐体内に収納されており、前記係合部材が前記係合部から外れて前記第３の位置に移動したときに、前記表示窓から露出することを特徴とする請求項１乃至３のいずれか１項に記載の電力系統の故障表示装置。
【請求項５】
前記係合部材及び前記故障表示部材は、バネにより前記第３の位置に向けて付勢されていることを特徴とする請求項４に記載の電力系統の故障表示装置。
【発明の詳細な説明】
【技術分野】
【０００１】
本発明は、電力系統に付設された接地線に流れる故障電流を検出して電力系統の故障を表示する故障表示装置に関する。
【背景技術】
【０００２】
電力系統に設置される変圧器及び電力ケーブル等の電力機器には接地工事が施されており、機器が故障すると接地線に故障電流が流れるようになっている。従って、この接地線に流れる電流を検出して故障機器を特定できるようにしておけば、故障機器の早期発見、早期修理に便利である。
【０００３】
電力系統の故障表示装置に関する従来技術として例えば特開昭５４−６３３３５号公報が挙げられる。図６は従来の故障表示装置の適用例を示す図、図７は図６の故障表示装置に適用される従来の反転表示器を示す斜視図である。図６において、ケーブル区間１０２Ｒにおいて、Ｒ相導線１２１は絶縁物１２２で被覆されている。絶縁物１２２の外周部は遮蔽テープ１２３によって被覆されている。遮蔽テープ１２３は接地線１２４に接続され、接地効果を阻害しない程度の低抵抗１０３を介して接地されている。
【０００４】
低抵抗１０３には並列回路によってシャント１０７が設けられている。並列回路においては、所定の抵抗値を有する半固定抵抗１０４と、磁気保持素子１０５を備えた反転表示器１０６とが直列に接続されている。低抵抗１０３、半固定抵抗１０４、磁気保持素子１０５及び反転表示器１０６で故障表示装置が構成される。Ｓ相導線及びＴ相導線の遮蔽テープも同様に夫々接地線１２５及び１２６によって接地されており、接地線１２５及び１２６に夫々故障表示装置が設けられている。これらの故障表示装置は、故障表示装置箱１２０内に固定、収容されている。
【０００５】
ケーブル区間１０２ＲのＲ相導線１２１に故障が発生すると、接地線１２４に故障電流ｉが流れ、シャント１０７には抵抗１０３と抵抗１０４との抵抗比によって按分された電流が流れる。そして抵抗１０４を流れる電流によって磁気保持素子１０５が動作すると、反転表示器１０６が反転してケーブル区間１０２Ｒに絶縁破壊が生じたことを表示する。
【０００６】
図７において、この反転表示器１０６は磁気反転表示器であり、コイル１１２に挿入されたＵ字型鉄心１１１と、Ｕ字型鉄心１１１の両辺間に配置された表示板１１３とで主として構成されている。表示板１１３は回転軸１１４によって回転可能に支持されている。表示板１１３には回転軸１１４を対称としてＮ極及びＳ極が設けられている。図７（ａ）において、表示板１１３の表面は例えば黒色で、裏面は例えば黄、赤、緑等の色彩が付されている。
【０００７】
表示板１１３のＳ極及びＮ極は夫々、Ｕ字型鉄心１１１のＮ極及びＳ極に引かれて黒色面を表示するようになっている。この状態で、コイル１１２にパルス電流を流してＵ字型鉄心１１１の極性を変えると、表示板１１３が反転して図７（ｂ）のようにカラー面、例えば赤色面を表示した故障表示状態となる。Ｕ字型鉄心１１１は一度磁化するとその極性を維持するので、元の色の面を表示したい場合はコイル１１２に反対方向のパルス電流を流せばよい。
【０００８】
なお、このような磁気反転表示器は、電気エネルギ又は磁気エネルギを利用して比較的小さいエネルギで表示板を反転することができることが必要である。
【０００９】
【特許文献１】特開昭５４−６３３３５号公報
【発明の開示】
【発明が解決しようとする課題】
【００１０】
しかしながら、上記従来技術には以下のような問題点がある。即ち、電力系統においては接地線を流れる故障電流（地絡電流）が小さく、数アンペア（Ａ）に達しない場合があり、故障電流を直接故障表示装置の表示板反転力に利用する従来技術においては出力エネルギが小さいために表示面積の小さい磁気反転表示器しか適用することができず、適用範囲が限定されるという問題点がある。この場合、故障が生じたことを遠方から確認するのは困難である。
【００１１】
本発明はかかる問題点に鑑みてなされたものであって、接地線を流れる故障電流が小さくても大きな故障表示板を操作して故障の発生を表示することができ、遠方からでも故障表示を容易に確認することができる電力系統の故障表示装置を提供することを目的とする。
【課題を解決するための手段】
【００１２】
本発明に係る電力系統の故障表示装置は、電力系統に付設された接地線に流れる電流を検知する検知コイルと、このコイルの誘導電流を整流して二次電流を発生する電気回路と、一端に磁気反応部が設けられ他端に係合部が設けられた可動部材と、常時は前記磁気反応部が第１の位置になるように前記磁気反応部に磁力を及ぼす磁石と、前記二次電流により前記磁気反応部が第２の位置に移動するように前記磁気反応部に磁力を及ぼす駆動コイルと、前記磁気反応部が前記第１の位置にあるときに前記係合部に係合し前記磁気反応部が前記第２の位置に移動したときに前記係合部から外れて第３の位置に移動する係合部材と、前記係合部材に取り付けられた故障表示部材とを有することを特徴とする。
【００１３】
この場合において、前記可動部材は、回動軸を中心にして回動する回動部と、この回動部を前記磁気反応部が前記第２の位置側に向けて付勢するバネとを有するものとすることができる。
【００１４】
また、前記電気回路は、前記コイルの誘導電流を整流する整流回路と、この整流回路からの出力電圧が整定値以上になった場合に二次電流を発生する整定回路とを有するものであることが好ましい。
【００１５】
更にまた、前記故障表示部材は、常時は表示窓を有する筐体内に収納されており、前記係合部材が前記係合部から外れて前記第３の位置に移動したときに、前記表示窓から露出するものとすることができる。
【００１６】
更にまた、前記係合部材及び前記故障表示部材は、バネにより前記第３の位置に向けて付勢されているものであることが好ましい。
【発明の効果】
【００１７】
本発明に係る電力系統の故障表示装置によれば、電力系統が故障して接地線に故障電流が流れた場合に、第１の位置にあった可動部材の磁気反応部が第２の位置に移動して前記可動部材と係合部材との係合状態が解消し、これによって前記係合部材に取り付けられた故障表示部材が故障表示状態となるので、所定値以上の故障電流が流れれば、電流値の大小にかかわらず均一な故障表示をすることができる。従って、従来よりも大きい故障表示部材を適用して遠方からでも確認し易くすることができる。
【００１８】
本願請求項２に係る電力系統の故障表示装置によれば、バネが、可動部材の回動部を磁気反応部が第２の位置になるように付勢するので、駆動コイルに接地線を流れる故障電流に基づく二次電流が流れた場合、可動部材の磁気反応部を速やかに第２の位置に移動させて前記可動部材と係合部材との係合状態を確実に解消させることができる。
【００１９】
本願請求項３に係る電力系統の故障表示装置によれば、接地線を流れる故障電流を検出したコイルの誘導電流を整流回路で整流し、整流回路の出力電圧が整定値以上になった場合に整定回路から二次電流を出力するようにしたので、故障電流に基づく二次電流を確実に可動部材の磁気反応部に出力することができる。
【００２０】
本願請求項４に係る電力系統の故障表示装置によれば、係合部材が可動部材から外れた場合に筺体の表示窓から故障表示部材が露出するので、電力系統に故障が生じたことを確実に表示することができる。
【００２１】
本願請求項５に係る電力系統の故障表示装置によれば、可動部材と係合部材との係合状態が解消した場合、係合部材及び故障表示部材がバネによって第３位置、例えば下側に付勢されるので、故障表示部材を移動させて筺体の表示窓から故障表示部材の故障表示部を露出させて正確な故障表示をすることができる。
【発明を実施するための最良の形態】
【００２２】
以下、本発明の実施の形態について添付の図面を参照して詳細に説明する。図１は本発明の一実施形態に係る電力系統の故障表示装置を示す図、図２は図１の故障表示部材の正面図である。
【００２３】
図１において、この故障表示装置は、接地線１を流れる故障電流を検知する検知コイル１１と、検知コイル１１の誘導電流を整流して二次電流を出力する電気回路２と、電気回路２からの二次電流が流れるコイル２２及びコイル２２からの磁力を受ける磁気反応部としての鉄芯２１を備えたソレノイド３と、ソレノイド３の鉄芯２１が一端２６に固定され、他端２７に係合部２８が設けられた可動部材４と、可動部材４の係合部２８に係合部材３０を介して係合された故障表示部材５とから主として構成されている。
【００２４】
この電力系統の故障表示装置は、故障電流をトリガとしてバネ部材に蓄えられた力によって故障表示部材を作動させるものである。
【００２５】
接地線１は図示省略した電力系統を電気的に接地させている。電気回路２は、整流回路２ａと、整定回路２ｂとで構成されている。整流回路２ａには所定の大きさの抵抗Ｒ１と、限界値を超える入力に対して出力が一定であるリミッタ１２及び交流電流を直流電流に変換する整流器１３が配置されている。また、整定回路２ｂには、コンデンサ１４と、所定の大きさの抵抗Ｒ２と、整定部１５と、スイッチ１６が配置されている。
【００２６】
接地線１を流れる故障電流Ｉ１は変換器としての検知コイル１１で検知される。検知コイル１１を流れる誘導電流Ｉ２はリミッタ１２を経て整流器１３に流入して整流され、整定回路２ｂのコンデンサ１４を充電する。充電電圧が予め設定した整定値に達すると整定部１５からスイッチ１６へオン信号が出力される。オン信号が出力されるとこれを受けてスイッチ１６が作動し、二次電流が駆動コイル２２に流れる。
【００２７】
ソレノイド３内には磁気反応部としての鉄芯２１が配設されており、この鉄芯２１が常時第１の位置になるように鉄芯２１に磁力を及ぼす磁石２３が付設されている。鉄芯２１は駆動コイル２２の例えば円筒状中空部に挿入されており、駆動コイル２２の両端は夫々上述した整定回路２ｂの出力端Ａ、Ｂに接続されている。従って鉄芯２１は駆動コイル２２に対して移動可能となっている。整定回路２ｂのスイッチ１６が作動して駆動コイル２２に整定回路２ｂからの二次電流が流れると磁石２３の鉄芯２１に作用する磁力が打ち消される。
【００２８】
鉄芯２１の一端は、可動部材４の一端２６に固定されている。可動部材４は、その回動部４ａが回動軸２５を中心として回動するように設けられており、回動部４ａは例えば回動軸２５を境にして長辺部と短辺部とが直角に交差した形状を有する。鉄芯２１は例えば長辺部側の端部に固定されている。なお、鉄芯２１を固定する側を短辺部側としてもよい。鉄芯２１を可動部材４の長辺部側の端部に固定するか、又は短辺部側の端部に固定するかの相違は、装置を収容する筐体の厚さが増すか、又は長さが増すかの相違だけである。
【００２９】
可動部材４の回動部４ａの他端２７には切欠部からなる係合部２８が設けられており、この係合部２８には故障表示部材５に固定された係合部材３０の一端が係合されるようになっている。可動部材４の他端２７にはまた引張バネ２９の一端が固定されており、このバネ２９の他端は、例えば固定部材に固定されている。
【００３０】
バネ２９は可動部材４の回動部４ａの他端２７を、鉄芯２１が磁石２３から離れた第２の位置に向かう方向に付勢する。可動部材４の回動部４ａにおいては、ソレノイド３の鉄芯２１に作用する磁石２３の吸引力ｆ１とバネ２９の復元力ｆ２とが相対的にｆ１＞ｆ２となっている。次に、ソレノイド３の駆動コイル２２に整定回路２ｂからの二次電流が流れ、磁石２３の鉄芯２１に作用する力が打ち消された場合、バネ２９の復元力が相対的に大きくなってｆ１＜ｆ２となり、可動部材４の他端２７が図中右方向に移動し、可動部材４の係合部２８と故障表示部材５に固定された係合部材３０との係止状態が解除される。
【００３１】
係合部材３０は例えば水平に配置された連結棒３１を介して故障表示部材５に連結されている。係合部材３０と連結棒３１と連結部にはバネ３２の一端が固定されており、バネ３２の他端は、図１中、下方の固定部材に固定されている。従って故障表示部材５に連結された係合部材３０はバネ３２によってｆ３の力で常時一方向、即ち図１中下方に引っ張られている。従って、係合部材３０と可動部材４の係合部２８との係止状態が解除されると係合部材３０は故障表示部材５ごと下方に引っ張られ、後述するように故障表示部材５が故障表示状態となる。
【００３２】
なお、係合部材３０の下方にこの係合部材３０の一部に接触するスイッチ３３を配置し、係合部材３０が下降することによってスイッチ３３を動かして外部出力を得るようにすることもできる。
【００３３】
図２において、この故障表示部材５は常時は表示窓３５を有する筺体３６に収納されている。故障表示部材５には係合部材３０が固定されており、この係合部材３０は故障表示部材５ごとバネ３２によって下方に引っ張られるように付勢されている。
【００３４】
故障表示部材５の上半分は例えば黄色、赤色、緑色等に着色されており、下半分は例えば黒色に着色されている。従って係合部材３０と可動部材４の係合部２８との係合状態が解除されると、故障表示部材５はバネ３２によって下方に引っ張られ、筺体３６の表示窓３５から上半分の黒色以外の着色面が露出し、これによって電力系統に故障が生じたことが表示される。
【００３５】
このような電力系統の故障表示装置は、例えば電力ケーブルに付設されて電力ケーブル故障表示装置として使用される。図３は電力ケーブルに故障表示装置を配置した状態を示す図である。図３において、電力ケーブル４１、４２及び４３が配設されている。各電力ケーブルは夫々電力線４１ａ、４２ａ、４３ａと、これら電力線を覆う図示省略した絶縁層とで主として構成されている。各電力線４１ａ、４２ａ、４３ａは、金属遮へい４１ｂ、４２ｂ、４３ｂによって遮へいされており、各金属遮へい４１ｂ、４２ｂ、４３ｂは、夫々接地線４１ｃ、４２ｃ、４３ｃによって接地されている。
【００３６】
接地線４１ｃ、４２ｃ、４３ｃには対応する故障表示装置の故障電流検知用のコイル４１ｄ（ＣＴ１）、４２ｄ（ＣＴ２）及び４３ｄ（ＣＴ３）が配設されており、各コイルは夫々図１に示したような構成の故障表示装置４５に接続されている。
【００３７】
以下、図１及びソレノイドの動作を示す図である図４（ａ）、（ｂ）を参照しつつ、上述のように構成され電力ケーブルの接地線に対して配設された本実施形態に係る故障表示装置の動作を説明する。
【００３８】
電力ケーブル４１の図示省略した絶縁層が経年劣化によって破壊すると、接地線４１ｃに故障電流Ｉ１が流れ、変換器としての検知コイル４１ｄが故障電流を検知する。このとき、検知コイル４１ｄに誘導電流Ｉ２が流れ、誘導電流Ｉ２は図１のリミッタ１２を経て整流器１３に流入して整流され、整定回路２ｂのコンデンサ１４を充電する。充電電圧が予め設定した整定値に達すると整定部１５からスイッチ１６へオン信号を出力する。オン信号が出力されるとこれを受けて整定回路２ｂのスイッチ１６が作動し、ソレノイド３の鉄芯２１が挿入された駆動コイル２２に二次電流Ｉ３が流れる。
【００３９】
ところで、ソレノイド３の鉄芯２１には磁石２３としての永久磁石が作る磁束Φ１によって常時、図４（ａ）に示したように、下向きに作用する力がはたらき、鉄芯２１は磁石２３に引き付けられた第１の位置を維持している。しかしながら、駆動コイル２２に二次電流Ｉ３が流れると、電流Ｉ３が作る磁束Φｃが上述した磁束Φ１を打ち消し、これによって鉄芯２１に作用する磁石２３の引き付け力ｆ１が小さくる。
【００４０】
磁石２３の引き付け力ｆ１が小さくると、可動部材４の一端に作用する鉄芯２１を下方に引き付ける力ｆ１よりも他端２７に作用するバネ２９の復元力ｆ２の方が相対的に大きくなって可動部材４の他端２７が図１中右方向に移動する。この他端２７の移動によって、可動部材４の係合部２８と係合部材３０との係合状態が解除され、係合部材３０はバネ３２によって故障表示部材５ごと下方に引っ張られる。故障表示部材５が下方向に引っ張られると、図２に示したように、故障表示部材５の上側の黒色以外の着色部が表示窓３５から露出するようになり、電力ケーブル４１に故障が生じたことを表示する。
【００４１】
本実施形態によれば、電力ケーブル４１が故障して接地線４１ｃに故障電流が流れた場合に、検知コイル４１ｄが故障電流を検知し、この故障電流に基づいた二次電流をソレノイド３の駆動コイル２２に出力し、これによって可動部材４の両端に作用する力を逆転させ、可動部材４の係合部２８と故障表示部材５に接続された係合部材３０との係止状態を解除し、故障表示部材５が故障表示状態となるようにしたので、故障電流の大小にかかわらず均一な故障表示をすることができる。従って、大きな故障表示板を使用することによって遠方からでも確認し易くすることができる。
【００４２】
また、本実施形態によれば、故障電流に起因して検知コイル１１内に発生する誘導電流を整流回路２ａで整流し、出力電圧が整定値以上になった場合に整定回路２ｂからソレノイド３の駆動コイル２２に二次電流を出力するようにしたので、故障電流に基づく二次電流を確実にソレノイドに出力することができる。
【００４３】
更にまた、本実施形態によれば、可動部材４の回動部４ａを鉄芯２１が第１の位置から第２の位置に移動するように付勢するバネ２９を設けたので、ソレノイド３の駆動コイル２２に故障電流に基づく二次電流が流れた場合、可動部材４と係合部材３０との係合状態を確実に解除して故障表示部材５による故障表示をすることができる。
【００４４】
更にまた、本実施形態によれば、係合部材３０が可動部材４の係合部２８から離脱した場合に故障表示部材５がバネ３２によって第３位置、例えば下方に付勢され、これによって故障表示部材５の故障表示部が筺体３６の表示窓３５から露出するようにしたので、電力系統に故障が生じた場合には確実に故障表示することができる。
【００４５】
更にまた、本実施形態によれば、各電力ケーブル４１、４２及び４３の接地線４１ｃ、４２ｃ及び４３ｃに夫々故障表示装置を配設したので、例えば絶縁破壊した電力ケーブルを特定することができる。
【００４６】
上記実施形態においては、各電力ケーブルに対応する接地線に夫々故障表示装置を設けた場合について説明したが、本発明はこれに限定されるものではなく、例えば３本の接地線に共通して故障表示装置を配置することもできる。この場合、３本の電力ケーブルのうちいずれかが故障したことを検出できる。
【００４７】
また、上記実施形態において、ソレノイド３の鉄芯２１が磁石２３に引き付けられた（磁着した）位置を第１位置とし、接地線１に故障電流が流れ、電気回路２からの二次電流がソレノイド３の駆動コイル２２に流れて、上述した磁石２３による鉄芯２１に作用する力が打ち消された場合の鉄芯２１の位置を第２の位置とした場合について説明したが、図４（ｂ）に示したように、鉄芯２１の磁石２３側に別の磁石２４を装着し、二つの磁石が反発し合うように相対させ、駆動コイル２２の巻き方を変えて、常時の鉄芯２１の第１位置を鉄芯２１が磁石２３から離れた状態とし、可動コイル２２に二次電流が流れたときの鉄芯２１の第２位置を、鉄芯２１が磁石２３に引き付けられた（磁着した）状態とし、鉄芯２１がこの第２位置に移動した場合に可動部材４と係合部材３０との係合状態が開放されるようにしてもよい。
【００４８】
更に、上記実施形態においては、ソレノイド３の駆動コイル２２に鉄芯２１を挿入し、鉄芯２１が駆動コイル２２に対して移動できる構成としたが、鉄芯２１と駆動コイル２２とが電気的に絶縁された状態であれば、駆動コイル２２を鉄芯２１に巻き付け、鉄芯２１が駆動コイル２２ごと磁石２３に向けて移動するようにしてもよい。
【００４９】
更にまた、上記実施形態において、可動部材４はその回動部４ａが回動して鉄芯２１が第１位置と第２位置との間を移動するものであったが、本発明の可動部材はそれに限らず、例えば、可動部材を故障電流に基づいて発生する誘導電流が整流された二次電流によって一方向に移動する棒状体とし、この棒状体の移動によって係合部材との係合状態が解除できるようにしても良い。
【００５０】
図５は、本発明の別の実施形態を示す図である。図５において、電力線路５１、５２及び５３に対して三相変圧器又は三相電力用コンデンサ５４が配置されており、この三相変圧器又は三相電力用コンデンサ５４は接地線５４ｃによって接地されている。接地線５４ｃには故障表示装置６０が設けられている。
【００５１】
また、電力線路５２及び５３に対して単相変圧器又は単相電力用コンデンサ５５が配置されており、この単相変圧器又は単相電力用コンデンサ５５は接地線５５ｃによって接地されており、接地線５５ｃに故障表示装置６０が設けられている。
【００５２】
このような構成において、三相変圧器若しくは三相電力用コンデンサ５４又は単相変圧器若しくは単相電力用コンデンサ５５が故障して接地線５４ｃ又は５５ｃに故障電流が流れると、上述した実施形態と同様に故障電流が検地コイルによって検知され、同様に、ソレノイド３、可動部材４、故障表示部材５等が操作されて故障表示される。
【００５３】
本実施形態によれば、三相変圧器、単相変圧器等の電力機器に対応して故障表示装置を配置したので、故障表示装置を電力機器の絶縁破壊検知装置として機能させることができる。
【産業上の利用可能性】
【００５４】
本発明の故障表示装置は、接地線を流れる故障電流が小さくても、大きな故障表示板によって故障表示することができるものであり、遠方からも確実に故障表示を確認することができるので、電力系統の管理、保全等の分野で特に有用である。
【図面の簡単な説明】
【００５５】
【図１】本発明の実施形態に係る故障表示装置の構成を示す図である。
【図２】本実施形態における故障表示部材の正面図である。
【図３】本発明の実施形態に係る故障表示装置の適用例を示す図である。
【図４】本実施形態におけるソレノイドの動作を示す図である。
【図５】本発明の実施形態に係る故障表示装置の別の適用例を示す図である。
【図６】従来技術を示す図である。
【図７】従来の磁気反転表示器を示す図である。
【符号の説明】
【００５６】
１：接地線
２：電気回路
２ａ：整流回路
２ｂ：整定回路
３：ソレノイド
４：可動部材
４ａ：回動部
５：故障表示部材
１１：検知コイル
１２：リミッタ
１３：整流器
１４：コンデンサ
１５：整定部
１６：スイッチ
２１：鉄芯（磁気反応部）
２２：駆動コイル
２３、２４：磁石
２５：回動軸
２６：可動部材の一端
２７：可動部材の他端
２８：係合部
２９：バネ
３０：係合部材
３１：連結棒
３２：バネ
３３：スイッチ
３５：表示窓
３６：筺体
４１、４２，４３：電力ケーブル
４１ａ、４２ａ、４３ａ：電力線
４１ｂ、４２ｂ、４３ｂ：金属遮へい
４１ｃ、４２ｃ、４３ｃ：接地線
４１ｄ、４２ｄ、４３ｄ：検知コイル
５１、５２、５３：電力線路
５４：三相変圧器（又は三相電力用コンデンサ）
５４ｃ：接地線
５５：単相変圧器（又は単相電力用コンデンサ）
５５ｃ：接地線
６０：故障表示装置
１０２Ｒ：ケーブル区間
１０３：低抵抗
１０４：半固定抵抗
１０５：磁気保持素子
１０６：反転表示器
１０７：シャント
１１１：Ｕ字型鉄心
１１２：コイル
１１３：表示板
１１４：反転軸
１２０：故障表示装置箱
１２１：Ｒ相導線
１２２：絶縁物
１２３：遮へいテープ
１２４〜１２６：接地線
【図１】
2006211756.tif 000003
【図２】
2006211756.tif 000004
【図３】
2006211756.tif 000005
【図４】
2006211756.tif 000006
【図５】
2006211756.tif 000007
【図６】
2006211756.tif 000008
【図７】
2006211756.tif 000009